(57)【要約】  本発明は、予備の液体（１２）、調節可能なジェットカニューレ、及び圧力式推進装置を有するジェット洗浄装置と、吸引装置、液体容器、及び調節可能な吸引カニューレ（４６）を含む吸引によって動作する排気装置と、並びに圧力式推進装置、及び吸引装置の動作を制御するための装置を含む頬面歯科用衛生装置に関する。排出液体容器の位置に、吸引オリフィス（２２）が内部に広がるハウジング（１４）を含み、排出液体容器は、吸引開口部を有する着脱可能な貯水槽（２４，３４）を含む。前記貯水槽（２４，３４）、前記チューブ（４０）、及び前記調節可能なカニューレ（４６）によって形成されるユニットは、使い捨てである。
2008517688.tif 000002
【特許請求の範囲】
【請求項１】
頬面歯科用衛生装置であって、
予備の液体（１２）、調節可能なジェットカニューレ、及び圧力式推進装置を有するジェット洗浄装置と、
吸引装置、液体容器、及び調節可能な吸引カニューレ（４６）を含む吸引によって動作する排気装置と、並びに圧力式推進装置、及び吸引装置の動作を制御するための装置を含み、
排出液体容器の位置に、吸引オリフィス（２２）が内部に広がるハウジング（１４）を含み、排出液体容器は、吸引開口部を有する着脱可能な貯水槽（２４，３４）を含むことを特徴とする頬面歯科用衛生装置。
【請求項２】
前記吸引カニューレ（４６）は、チューブ（４０）によって前記着脱可能な貯水槽（２４，３４）に接続され、前記貯水槽（２４，３４）、前記チューブ（４０）、及び前記調節可能なカニューレ（４６）によって形成されるユニットは、使い捨てである、請求項１に記載の装置。
【請求項３】
前記吸引装置が、空気を吸引することを可能にするために圧力降下を作り出すロータである、請求項１、又は２に記載の装置。
【請求項４】
液体の吸引を含み、排出液体容器のためのハウジング（１４）を備え、吸引開口部を有する着脱可能な貯水槽（２４，３４）、チューブ（４０）、及び調節可能なカニューレ（４６）を含むことを特徴とする、頬面歯科用衛生装置のための使い捨てユニット。
【請求項５】
２つの別々の要素、即ち、貯水槽本体（２４）、並びに蓋（３４）、チューブ（４０）、及びカニューレ（４６）を形成する要素を含む、請求項４に記載のユニット。
【請求項６】
前記蓋（３４）、前記チューブ（４０）、及びカニューレ（４６）を形成する要素は、貯水槽本体（２４）と協働する面（３６）を定め、協働するこの面の少なくとも一部は、前記本体の相補面（２８）と協働することを意図する、請求項５に記載のユニット。
【請求項７】
前記本体の前記相補面（２８）と要素の協働する面は、接着剤（３８）と機械的係合の間で選択される手段を介して協働する、請求項６に記載のユニット。
【請求項８】
前記貯水槽本体（２４）は切頭円錐形状を有し、前記貯水槽本体は他の類似の本体と積み重ねることができる、請求項４〜７の何れか１つに記載のユニット。
【請求項９】
前記着脱可能な貯水槽（２４，３４）の吸引開口部に接続されたフラップ（３０）を含む、請求項４〜８の何れか１つに記載のユニット。
【請求項１０】
前記着脱可能な貯水槽（２４，３４）に取り付けられた前記チューブ（４０）の端部に接続されたフラップ（４４）を含む、請求項４〜９の何れか１つに記載のユニット。
【発明の詳細な説明】
【技術分野】
【０００１】
本発明は頬面歯科用衛生装置、及び特に病院環境、又は自宅において、その種の装置と一緒に使用することを意図する使い捨てユニットに関し、その装置は持ち運び可能、及びバッテリ、又はコンセントから動作可能である。
【背景技術】
【０００２】
公開公報WO 2004/080329号は、予備の液体、調節可能なジェットカニューレ、及び圧力式推進装置を有するジェット洗浄装置と、吸引装置、液体容器、及び調節可能な吸引カニューレを含む吸引によって動作する排気装置と、並びに圧力式推進装置、及び吸引装置の動作を制御するための装置を含む頬面歯科用衛生装置を記載する。
【０００３】
従って、その種の装置は、洗浄のために使用される予備の液体が配置される第１貯水槽、及び吸引によって患者の口から排出された液体を受ける第２貯水槽を含む。
【０００４】
同じ人物によって常に使用されるとき、その種の装置は汚染の問題をもたらさない。対照的に、複数の人物によって使用されるとき、特に病院環境では、特定の疾病の伝染性による衛生問題をもたらす。
【０００５】
更に、米国特許第4,635,621号は、洗浄液を含む第１バッグ、及び排出液を含むことを意図した第２バッグを収容する容器を含む、特に歯科用途のための、洗浄システムを開示する。しかし、複数の人物によって連続して使用されるとき、このシステムの形状は汚染の完全な欠如を保証しない。
【０００６】
更に、米国特許出願第2003/186189号は、もし必要なら、排出管中の廃棄物の通過を改善するための圧搾手段を特に含む、口腔を洗浄するための装置を開示する。米国特許出願第2003/186189号に記載の排出貯水槽は、着脱可能なバッグを含まず、その結果、前記装置は、患者の間で起こり得る汚染を回避できない。
【０００７】
特に、院内の疾病が主な健康問題をもたらすことは、既知である。患者によって汚染され得る衛生装置の使用は、疾病の拡散を促進する要因である。その結果、病院環境では、使い捨て装置がますます使用されている。しかし、頬面歯科用衛生装置は比較的複雑で高価なので、１回使用した後に廃棄することは不可能である。
【０００８】
【特許文献１】国際公開第２００４／０８０３２９号パンフレット
【特許文献２】米国特許第４６３５６２１号明細書
【特許文献３】米国特許出願第２００３／１８６１８９号明細書
【発明の開示】
【発明が解決しようとする課題】
【０００９】
本発明は、頬面歯科用衛生装置の汚染によってもたらされる上記の問題を解決することを目的とする。このために、本発明は、全ての能動的な機械的要素を含む再利用可能部分、及び患者から回収される流動物と接触する全ての要素を含む使い捨て部分を有する頬面歯科用衛生装置に関する。
【課題を解決するための手段】
【００１０】
更に詳細には、本発明は、予備の液体、調節可能なジェットカニューレ、及び圧力式推進装置を有するジェット洗浄装置と、吸引装置、液体容器、及び調節可能な吸引カニューレを含む吸引によって動作する排気装置と、並びに圧力式推進装置、及び吸引装置の動作を制御するための装置の組合せを含む型の頬面歯科用衛生装置に関する。本発明によると、本発明の装置は、排出液体容器の位置に、吸引オリフィスが内部に広がるハウジングを含み、排出液体容器は、吸引開口部を有する着脱可能な貯水槽を含む。
【００１１】
吸引カニューレは、チューブによって着脱可能な貯水槽に接続されることが好ましく、貯水槽、チューブ、及び調節可能なカニューレによって形成されるユニットは、使い捨てである。
【００１２】
吸引装置が、空気を吸引すること、及び高い流速の空気を与えることを可能にするために圧力降下を作り出すロータであることは利点である。
【００１３】
また、本発明は、液体の吸引を含み、排出液体容器のためのハウジングを備える頬面歯科用衛生装置のための使い捨てユニットに関する。本発明によると、本発明の装置は、吸引開口部を有する着脱可能な貯水槽、チューブ、及び調節可能なカニューレを含む。
【００１４】
１つの実施例では、使い捨てユニットは、２つの別々の要素、即ち、貯水槽本体、並びに蓋、チューブ、及びカニューレを形成する要素を含む。
【００１５】
蓋、チューブ、及びカニューレを形成する要素は、貯水槽本体と協働する面を定めることが好ましく、協働するこの面の少なくとも一部は、本体の相補面と協働することを意図する。１つの変形では、本体の相補面と要素の協働する面は、接着剤を介して協働する。他の変形では、本体の相補面と要素の協働する面は、機械的係合によって協働する。
【００１６】
貯水槽本体は切頭円錐形状を有することが好ましく、貯水槽本体は他の類似の本体と積み重ねることができるが、使い捨て可能なプラスチック製バッグでも良い。
【００１７】
他の変形では、貯水槽本体は、着脱可能な貯水槽の吸引開口部に接続されたフラップを含む。このフラップは、貯水槽を有する１つの部品から成形されることが好ましく、通常は閉じた位置を有する。
【００１８】
他の変形では、本発明の装置は、着脱可能な貯水槽に取り付けられたチューブの端部に接続されたフラップを含む。フラップは、蓋、又はチューブを有する１つの部品から成形されることが有利であり、通常は閉じた位置を有する。
【発明を実施するための最良の形態】
【００１９】
本発明の他の特徴、及び利点が、図面を参照して、図示される実施例の以下の記載を読めば更に理解できるであろう。
【００２０】
図１、及び図２は、本発明による頬面歯科用衛生装置の外面を示す。この装置１０は、一般に水、又は水と種々の補助薬の組み合わせである洗浄液を収容する第１貯水槽１２、及び排出貯水槽のためのハウジング１４を含む。ハウジング１４の下に、流動物の排出のために大きな吸引力を作り出すように設計された強力なポンプの外部チャネルを構成する拡張部分１６が存在することが注目されるであろう。
【００２１】
この装置を使用する間、洗浄液は貯水槽１２の中に配置され、例えば、横になっているユーザの歯と歯肉にカニューレ（図示されない）を経由してジェットで噴霧される。
【００２２】
同時に、洗浄のために内部へ噴霧された液体を排出するために、ユーザの口の底の側面領域に排出カニューレが配置される。このカニューレは吸引に供され、連続した排出を可能にする。
【００２３】
本発明によると、本発明の装置は強力な吸引装置を含むだけでなく、既知の排出された液体の容器に、吸引装置の吸引力全体が適用される吸引オリフィス２２を介して広がるノーズ２０を、例えば、その中心部に含むハウジング１４も含む。
【００２４】
本発明によると、この吸引力は、液体貯水槽、チューブ、及びカニューレを形成する使い捨てユニットで使用される。
【００２５】
液体貯水槽、チューブ、及びカニューレを形成する使い捨てユニットの実施例が、図４、及び図５を参照して考慮される。ここで示されるユニットは、全てが本質とは限らず、別々に、又は種々の組み合わせで使用できる多くの特徴を有する。
【００２６】
使い捨てユニットは、本体２４、及び蓋３４から構成される貯水槽を先ずは含む。本体２４は、中心チューブ２６を含む。その外部エッジでは、本体２４が（使用中は）実質的に水平である配向フランジ２８を形成する。
【００２７】
中心チューブ２６は、チューブ２６の端部に通常は閉じた位置を有するフラップ３０が最後に付いているが、中心チューブ２６は、貯水槽の本体２４がハウジング１４の内部に導入されるとき、本発明の装置のノーズ２０によって押されるアーム３２によって、図４、及び図５で示されるように、開いた位置へ移動できる。
【００２８】
複数の貯水槽本体２４が互いに内側で係合することを可能にする僅かに傾斜した壁部を貯水槽本体２４が有することが注目されるであろう。この係合は、１０，２０，又は５０個の貯水槽本体２４の一群が、小型の梱包物に収容されることを可能にする利点を有する。
【００２９】
蓋３４は、この本体の正しい位置に蓋があるとき、貯水槽本体２４のフランジ２８と実質的に隣接して平行な周縁フランジ３６を有する。２つのフランジ３６，２８は、貯水槽の内側が吸引に供されるときに接触するように設計される。それらは接着剤３８によって更に一体化されることが好ましく、接着剤３８は真空、及び液体に対する密封性を保証する。
【００３０】
蓋の上部において、ユーザの口中での位置決めを容易にする曲部４８の端部に配置される吸引カニューレ４６を一端に有するチューブ４０が、端部が蓋の内側になるように、密封された方法で蓋の内部を貫通する。また、図は、通常は閉じた位置を有し、吸引効果のもとでは開くフラップ４４も、この端部において示す。
【００３１】
要素のいくつかしか示さない図５では、少量の液体を運搬する空気で主に構成される吸引された流れが蓋のエッジに出現するように、及び液体が貯水槽の底に落下するように、液体を外側に駆動しようとする接戦方向の動きを有するように、チューブ４０は、蓋の側面を都合良く貫通することが注目されるであろう。この方法では、液体はチューブ２６のオリフィスを貫通する傾向がない。
【００３２】
チューブを通して導入される液体が、２つのフランジ２８とフランジ３６の間の界面に浸透することを保証するために、図４に示されるように、貯水槽本体と蓋の接続部の表面より下に拡張するスカートを蓋が形成することは好都合である。
【００３３】
本発明の装置が使用されるとき、オペレータは使い捨てユニットの２つの要素（即ち、貯水槽本体２４、及び蓋３４を形成する要素）、チューブ４０、及びカニューレ４６を掴む。例えば、蓋を位置決めして、接着剤３８を用いて貯水槽本体のフランジに結合することによって、２つの要素は協働させられる。この時点で、ユニットは本発明の装置のハウジングの中に配置されておらず、チューブ２６のフラップ３０は閉じているが、１つが他の内側にある複数の貯水槽本体の係合を遮らないように非常に薄いアーム３２は、チューブ２６の壁部の内側に寄り掛かる。チューブの端部におけるフラップ４４は、それ自体がチューブに対して閉じた位置まで折り返される。
【００３４】
次に、オペレータはユニットを本発明の装置のハウジング１４の中に配置し、オリフィス２２のエッジ（即ち、ノーズ２０の上部）がアーム３２を押し、アーム３２がフラップ３０を開く。従って、一般にまだ機能していない吸引装置と本体２４と蓋３２によって形成される貯水槽の間の連絡が確立される。
【００３５】
吸引装置は、例えば、ボタンを押すことによって動作させられ、フラップ４４が圧力降下の影響のもとで開き、カニューレ４６に貯水槽の内側と連絡させるように、圧力降下を貯水槽の中に作り出す。本発明の装置は、カニューレの領域で、横になっているユーザの口の底に集まる液体を運ぶ強力な吸引流を作り出す。流動物の流れは空気を特に含み、空気が液体を運ぶ。
【００３６】
吸引された流れが貯水槽の内側に出現するとき、吸引された流れは外壁に接近して出て行き、蓋の壁部、及び貯水槽本体２４の壁部の周りの螺旋曲線をたどる。この方法では、液体は底に向かって集まり、空気から分離する。フラップ３０が開いているので、チューブ２６の端部に形成された吸引開口部２２を通して空気は吸引される。
【００３７】
洗浄動作が完了するとき、オペレータは吸引装置を停止させる。チューブの端部におけるフラップ４４が閉じ、それによって、貯水槽に収容されている液体がカニューレ４６の方向に戻れないことを保証する。
【００３８】
次に、オペレータは貯水槽２４，３４を掴み、ハウジング４４から垂直に引く。貯水槽がこのハウジングを出るとき、ハウジング１４の形状によって誘導されるので、傾けることができず、液体がチューブ２６のオリフィスを通って漏れることはできない。いったん貯水槽が１ｃｍ、又は２ｃｍだけ除去されたら、アーム３２がもはやノーズ２０のエッジに寄り掛かっていないので、フラップ３０はそれ自体が閉じる。この時点で、回収された全ての液体は貯水槽に含まれ、使い捨てユニットは廃棄できる。
【００３９】
従って、本発明の装置自体は、排出液と決して接触しない。従って、本発明の装置は、院内の疾病の防止に関して、非常に高度な安全性を提供する。
【００４０】
詳細な実施例が記載されてきた。記載された特徴の中には、本発明について本質的でないものもある。例えば、１つ又は他のフラップは省略できる。蓋への貯水槽本体の接続は、他の任意の方法（例えば、単純な係合）で得ることができる。吸引装置は動作中に貯水槽の中で圧力降下を作り出すので、蓋は貯水槽本体に堅固に適用されたままであろうとする。加えて、チューブ４０が横方向に出現することは本質的でない。何故なら、吸引オリフィスから排出液が出ることができないことを考慮して、チューブ４０は任意の位置に出現できるからである。
【００４１】
加えて、２つの部品（一方は容器本体２４、他方は蓋３４、チューブ４０、及びカニューレ４６を形成する要素）を含むユニットを示してきたが、使い捨てユニットは１つの部品でも良い。しかし、それを積み重ねることはもはやできない。
【００４２】
カニューレ４６がユーザの口の内側の組織と接触することを考えると、貯水槽本体、並びに蓋、チューブ、及びカニューレを形成する要素は、医療用途のためのプラスチックで好都合に作られることが好ましい。全ての要素は、よく知られた製造技術（例えば、射出成形）を使用して形成できる。
【００４３】
従って、本発明によると、使い捨てユニットは、一方で排出液と接触する全ての部品を含み、他方で本発明の装置へ単に配置することによって使用できる。
【００４４】
本体２４と蓋３４によって形成され、吸引によって作り出された圧力降下の存在下でその形状を維持する硬質貯水槽の代わりに、吸引を受けるチャンバの中に配置される可撓性貯水槽を使用することを想定できる。本発明の装置が使用されるとき、オペレータがハウジング１４の中の正しい位置に容易に合わせることを可能にするために、この可撓性貯水槽は、本発明の装置のハウジング１４の形状を補完する形状を有する。可撓性貯水槽は完全に密閉されているので、その種の設計は、フラップを必要としない利点を有する。
【００４５】
実際には、圧力降下が作り出されることを保証するために、可撓性貯水槽は、完全に閉じたハウジングの中に配置されなければならない。カニューレと可撓性貯水槽の間に、使い捨てユニットは、可撓性貯水槽の全てを収容するのに充分に大きい吸引チャンバを密閉できる硬質蓋を含む。
【００４６】
本発明の装置は小型で取り扱いが容易であるということだけではなく、特に、本発明の装置が液体を運ぶのに充分な実質的流速の循環を可能にすることによって、本発明は、可撓性貯水槽を用いたあり得る設計から区別される。
【００４７】
他の実施例によると、空気を取り込むように設計されたチューブを経由して容器に接続される硬質貯水槽、又は可撓性貯水槽の本体２４も提供できる。次に、ハウジング１４が、中間チューブの係合を可能にする単純なノーズ片によって形成できる。中間チューブと貯水槽の間の単純な係合、及び係合解除によって貯水槽が正しい位置に合わされるとき、この配置は、オペレータによって行われる操作を単純にすることを可能にする。
【００４８】
以上、本発明の好ましい実施例について図示し記載したが、特許請求の範囲によって定められる本発明の範囲から逸脱することなしに種々の変形および変更がなし得ることは、当業者には明らかであろう。
【図面の簡単な説明】
【００４９】
【図１】本発明による頬面歯科用衛生装置の斜視図である。
【図２】他の側面から見た、図１の本発明の装置の斜視図である。
【図３】図１、及び図２の本発明の装置の吸引部分の部分断面図である。
【図４】図１、及び図２の本発明の装置の一部と協働して示される使い捨てユニットの断面図である。
【図５】図４に示される装置の特性要素を示す平面図である。
【符号の説明】
【００５０】
１０    装置
１２    予備の液体
１４    ハウジング
１６    拡張部分
２０    ノーズ
２２    オリフィス
２４    貯水槽本体
２６    チューブ
２８    フランジ
３０，４４    フラップ
３２    アーム
３４    蓋
３６    周縁フランジ
３８    接着剤
４０    チューブ
４６    カニューレ
４８    曲部
【図１】
2008517688.tif 000003
【図２】
2008517688.tif 000004
【図３】
2008517688.tif 000005
【図４】
2008517688.tif 000006
【図５】
2008517688.tif 000007
【国際調査報告】
2008517688.tif 000008
2008517688.tif 000009
2008517688.tif 000010
2008517688.tif 000011